【手続補正書】
【提出日】平成17年7月7日(2005.7.7)
【手続補正１】
【補正対象書類名】特許請求の範囲
【補正対象項目名】全文
【補正方法】変更
【補正の内容】
【特許請求の範囲】
【請求項１】
演奏データに基づいて演奏曲信号を再生する演奏曲再生手段と、
該手段によって再生された演奏曲信号に基づく演奏曲を出力する演奏曲出力手段と、
前記演奏データに対応する歌詞データに基づいて前記演奏曲の歌詞を表示する歌詞表示手段と、
前記演奏曲出力手段によって出力した演奏曲に対する歌唱音の歌唱音声信号を入力する歌唱音声信号入力手段と、
該手段によって入力した歌唱音声信号を前記演奏データと同形式の音声データに変換する音声データ変換手段と、
該手段によって変換された音声データと前記演奏データとを比較する音声・演奏データ比較手段と、
該手段による比較結果に基づいて前記歌詞中の前記演奏曲との音程外れ，音量不足，テンポ外れの不一致が生じた箇所の文字の表示態様を変化させる不一致箇所表示態様変化手段と
を備えたことを特徴とする演奏曲再生装置。
【請求項２】
演奏データに基づいて演奏曲信号を再生する演奏曲再生手段と、
該手段によって再生された演奏曲信号に基づく演奏曲を出力する演奏曲出力手段と、
前記演奏データに対応する譜面データに基づいて前記演奏曲の譜面を表示する譜面表示手段と、
前記演奏曲出力手段によって出力した演奏曲に対する歌唱音の歌唱音声信号を入力する歌唱音声信号入力手段と、
該手段によって入力した歌唱音声信号を前記演奏データと同形式の音声データに変換する音声データ変換手段と、
該手段によって変換された音声データと前記演奏データとを比較する音声・演奏データ比較手段と、
該手段による比較結果に基づいて前記譜面中に前記演奏曲との音程外れ，テンポ外れが生じた歌唱音に相当する音符を表示する音程・テンポ外れ音符表示手段と
を備えたことを特徴とする演奏曲再生装置。
【手続補正２】
【補正対象書類名】明細書
【補正対象項目名】全文
【補正方法】変更
【補正の内容】
【発明の詳細な説明】
【発明の名称】演奏曲再生装置
【技術分野】
【０００１】
この発明は、カラオケ音楽を再生するカラオケ装置，通信カラオケ装置，及びパーソナルコンピュータ等の演奏曲再生装置に関する。
【背景技術】
【０００２】
従来、演奏曲中のボーカル信号と歌唱者の音声信号とを比較し、両信号の合致度に基づく得点を算出し、採点対象曲の終了時にその得点を表示する演奏曲再生装置（例えば、特許文献１参照）があった。
また、採点対象曲の終了時に歌唱者の歌唱力を採点し、その採点データを記憶し、その採点データから集計データを算出して表示する演奏曲再生装置（例えば、特許文献２参照）があった。
【特許文献１】特開昭６１−３５４７８号公報
【特許文献２】特開平３−２８７２８９号公報
【発明の開示】
【発明が解決しようとする課題】
【０００３】
しかしながら、上述した従来の演奏曲再生装置では、採点対象曲が終了した時点で、例えば、歌唱音声に対するテンポ，音量，音程の項目についての得点を表示するのみであり、次回の歌唱時の参考にはなるが、歌唱中の悪い点をなおすためには殆ど役立てることができないという問題があった。
【０００４】
この発明は上記の点に鑑みてなされたものであり、歌唱中に歌い方の悪い点を逐次知ることができるようにし、その悪い点を歌唱中に容易に直せるようにすることを目的とする。
【課題を解決するための手段】
【０００５】
この発明は上記の目的を達成するため、演奏データに基づいて演奏曲信号を再生する演奏曲再生手段と、その手段によって再生された演奏曲信号に基づく演奏曲を出力する演奏曲出力手段と、上記演奏データに対応する歌詞データに基づいて上記演奏曲の歌詞を表示する歌詞表示手段と、上記演奏曲出力手段によって出力した演奏曲に対する歌唱音の歌唱音声信号を入力する歌唱音声信号入力手段と、その手段によって入力した歌唱音声信号を上記演奏データと同形式の音声データに変換する音声データ変換手段と、その手段によって変換された音声データと上記演奏データとを比較する音声・演奏データ比較手段と、その手段による比較結果に基づいて上記歌詞中の上記演奏曲との音程外れ，音量不足，テンポ外れの不一致が生じた箇所の文字の表示態様を変化させる不一致箇所表示態様変化手段を備えた演奏曲再生装置を提供する。
【０００６】
また、演奏データに基づいて演奏曲信号を再生する演奏曲再生手段と、その手段によって再生された演奏曲信号に基づく演奏曲を出力する演奏曲出力手段と、上記演奏データに対応する譜面データに基づいて上記演奏曲の譜面を表示する譜面表示手段と、上記演奏曲出力手段によって出力した演奏曲に対する歌唱音の歌唱音声信号を入力する歌唱音声信号入力手段と、その手段によって入力した歌唱音声信号を上記演奏データと同形式の音声データに変換する音声データ変換手段と、その手段によって変換された音声データと上記演奏データとを比較する音声・演奏データ比較手段と、その手段による比較結果に基づいて上記譜面中に上記演奏曲との音程外れ，テンポ外れが生じた歌唱音に相当する音符を表示する音程・テンポ外れ音符表示手段を備えた演奏曲再生装置にするとよい。
【発明の効果】
【０００７】
この発明による演奏曲再生装置は、歌唱者が歌唱中に歌い方の悪い点を逐次知ることができ、その悪い点を歌唱中に容易に直すことができ、歌唱力をより効果的に向上させることができる。
【発明を実施するための最良の形態】
【０００８】
以下、この発明を実施するための最良の形態を図面に基づいて具体的に説明する。
図１は、この発明の演奏曲再生装置の一実施形態であるカラオケ装置の構成を示すブロック図である。同図にはこの発明に関わる機能部のみを示し、通常のカラオケ装置に備わるその他の機能部を省略している。
【０００９】
このカラオケ装置は、マイク１，ＭＩＤＩ変換部２，演奏曲再生部４，スピーカ５，採点機能部６，表示制御部７，アドバイステーブル８，及びカラオケ表示部９等からなる。
【００１０】
マイク１は、歌唱者の歌唱音声を集音し、その歌唱音声を歌唱音声信号に変換してＭＩＤＩ変換部２へ入力する。
ＭＩＤＩ変換部２は、マイク１から入力された歌唱音声信号を演奏データと同形式のＭＩＤＩデータ（音声データ）に変換する。
記憶部３は、演奏曲の演奏データ（主旋律データ），歌詞データ，譜面データからなる演奏曲データを記憶するハードディスク装置等の記憶装置である。
【００１１】
演奏曲再生部４は、記憶部３に記憶された演奏曲データの演奏データに基づいて演奏曲信号を再生してスピーカ５へ出力する。また、演奏曲データの再生と歌詞データ又は譜面データとの再生を同期させる信号を表示制御部７へ出力する。
スピーカ５は、演奏曲再生部４から入力した演奏曲信号に基づいて演奏曲を聴取可能に出力する。
【００１２】
採点機能部６は、ＭＩＤＩ変換部２から入力した音声データと演奏曲データとを比較し、その比較結果に基づいて演奏曲の終了時に歌唱力を表わす得点を求め、その得点データを表示制御部７へ出力する。
【００１３】
また、その比較結果に基づいて歌詞中の演奏曲との音程外れ，音量不足，テンポ外れの不一致が生じた箇所の指示データを表示制御部７へ出力する。
さらに、その比較結果に基づいて演奏曲との音程外れ，テンポ外れが生じた歌唱音に相当する音符データを求めて表示制御部７へ出力する。
【００１４】
さらにまた、演奏曲の一定区間（例えば、曲の１番）における比較結果に基づいて上記一定区間内のアドバイス必要箇所を求め、アドバイステーブル８の上記アドバイス必要箇所に対応させるアドバイスデータの選択データを求め、演奏曲の次の一定区間（例えば、曲の２番以降）において歌詞中の上記アドバイス必要箇所に相当する箇所を示す位置データと上記アドバイスデータの選択データを表示制御部７へ出力する。
【００１５】
表示制御部７は、演奏曲再生部４から入力した同期信号に基づいて演奏データに対応する歌詞データ又は譜面データの再生を同期させ、歌詞データ又は譜面データから再生した表示データをカラオケ表示部９へ出力する。
また、採点機能部６から入力した得点データに基づく得点の表示データをカラオケ表示部９へ出力する。
【００１６】
さらに、採点機能部６から入力した指示データに基づいて歌詞中の演奏曲との音程外れ，音量不足，テンポ外れの不一致が生じた箇所の表示態様を変化させる表示データをカラオケ表示部９へ出力する。また、採点機能部６から入力した音符データに基づいて譜面中に演奏曲との音程外れ，テンポ外れが生じた歌唱音に相当する音符の表示データをカラオケ表示部９へ出力する。
【００１７】
さらに、採点機能部６から位置データと選択データを入力し、その選択データに基づいてアドバイステーブル８からアドバイスデータを選択して読み出し、演奏曲の次の一定区間において、歌詞中の上記位置データに基づくアドバイス必要箇所に相当する箇所に対して、上記選択したアドバイスデータに基づくアドバイスメッセージの表示データをカラオケ表示部９へ出力する。
【００１８】
アドバイステーブル８は、歌唱音に対する音程，音量，テンポの項目に関する各種のアドバイスメッセージのアドバイスデータを選択データで参照可能なテーブル形式で記憶するメモリである。
【００１９】
カラオケ表示部９は、表示制御部７から入力した表示データに基づいて歌詞，譜面，及び得点等を表示し、歌詞中の音程外れ，音量不足，テンポ外れの不一致箇所の表示態様を変化させる表示と、譜面中に音程外れ，テンポ外れが生じた歌唱音に相当する音符の表示と、歌詞中のアドバイスメッセージの表示とを行うＣＲＴ，ＬＣＤ等の表示装置である。
【００２０】
すなわち、上記演奏曲再生部４が、演奏データに基づいて演奏曲信号を再生する演奏曲再生手段の機能を果たし、上記スピーカ５が演奏曲再生部４によって再生された演奏曲信号に基づく演奏曲を出力する演奏曲出力手段の機能を果たす。
【００２１】
また、上記表示制御部７及びカラオケ表示部９が、上記演奏データに対応する歌詞データに基づいて上記演奏曲の歌詞を表示する歌詞表示手段の機能を果たし、上記マイク１が、上記スピーカ５によって出力した演奏曲に対する歌唱音の歌唱音声信号を入力する音声信号入力手段の機能を果たす。
【００２２】
さらに、上記ＭＩＤＩ変換部２が、上記マイク１によって入力した歌唱音声信号を上記演奏データと同形式の音声データに変換する音声データ変換手段の機能を果たし、上記採点機能部６が、上記ＭＩＤＩ変換部２によって変換された音声データと上記演奏データとを比較するデータ比較手段の機能を果たす。
【００２３】
そして、上記採点機能部６，表示制御部７，及びカラオケ表示部９が、上記比較結果に基づいて上記歌詞中の上記演奏曲との音程外れ，音量不足，テンポ外れの不一致が生じた箇所の文字の表示態様を変化させる不一致箇所表示態様変化手段の機能を果たす。
【００２４】
また、上記表示制御部７とカラオケ表示部９が、上記演奏データに対応する譜面データに基づいて上記演奏曲の譜面を表示する譜面表示手段の機能を果たす。
さらに、上記採点機能部６，表示制御部７，及びカラオケ表示部９が、上記比較結果に基づいて上記譜面中に上記演奏曲との音程外れ，テンポ外れが生じた歌唱音に相当する音符を表示する音程・テンポ外れ音符表示手段の機能を果たす。
【００２５】
また、上記アドバイステーブル８が、歌唱音に対する音程，音量，テンポの項目に関する各種のアドバイスメッセージのアドバイスデータを記憶するアドバイスデータ記憶手段の機能を果たす。
【００２６】
さらに、上記採点機能部６，表示制御部７，及びカラオケ表示部９が、上記演奏曲の一定区間における上記比較結果に基づいて上記一定区間内のアドバイス必要箇所を求め、上記アドバイステーブル８から上記アドバイス必要箇所に対応させるアドバイスデータを選択し、上記演奏曲の次の一定区間において上記歌詞中の上記アドバイス必要箇所に相当する箇所に上記選択したアドバイスデータに基づくアドバイスメッセージを表示させるアドバイスメッセージ表示手段の機能を果たす。
【００２７】
次に、このカラオケ装置における演奏曲再生処理について説明する。
（１）歌詞中の音程外れ，音量不足，テンポ外れが生じた箇所の文字の表示態様を変化させる場合の処理
【００２８】
図２は、このカラオケ装置における演奏曲再生時に歌詞中の音程外れ，音量不足，テンポ外れが生じた箇所の文字の表示態様を変化させる場合の処理を示すフローチャートである。
【００２９】
この処理は、記憶部３からリクエストされた演奏曲に対応する演奏曲データを選択して、ステップ（図中「Ｓ」で示す）１で演奏曲再生部が演奏曲データ中の演奏データに基づいて演奏曲信号を再生し、その再生された演奏曲信号に基づく演奏曲をスピーカから出力し、ステップ２へ進んで表示制御部が上記演奏データに対応する歌詞データに基づいて演奏曲の歌詞をカラオケ表示部に表示する。
【００３０】
ステップ３へ進んでマイクから演奏曲に対する歌唱音の歌唱音声信号を入力し、ステップ４へ進んでＭＩＤＩ変換部がマイクから入力した歌唱音声信号を上記演奏データと同形式のＭＩＤＩデータ（音声データ）に変換し、ステップ５へ進んで採点機能部がＭＩＤＩ変換部によって変換された音声データと上記演奏データとを比較する。
【００３１】
ステップ６へ進んで採点機能部が比較結果に基づいて上記歌詞中の上記演奏曲との音程外れ，音量不足，テンポ外れの不一致が生じたか否かを判断し、生じたときは、ステップ７へ進んで上記歌詞中の上記演奏曲との音程外れ，音量不足，テンポ外れの不一致が生じた箇所の位置データを求め、表示制御部がその位置データに基づいて上記歌詞中の該当する箇所の文字の表示態様を変化させる。
【００３２】
ステップ８へ進んで演奏曲の再生終了か否かを判断して、再生終了ならこの処理を終了する。
また、ステップ６の判断で不一致がなかったとき、及びステップ８の判断で再生終了でなかったときは、最初の処理へ戻り、上述の処理を繰り返す。
【００３３】
図３は、歌詞中の音程外れ，音量不足，テンポ外れが生じた箇所の表示例を示す図である。
例えば、通常の歌詞の表示色である黒色で表示された歌詞「うみはひろいな  おおきいな」において、「うみ」（図中破線枠１０で示す）の歌唱音の音程が演奏曲の主旋律から所定レベル以上外れた場合は赤色で表示する。
【００３４】
また、「ひ」（図中破線枠１１で示す）の歌唱音の音量が所定レベルまで足りない場合は青色で表示する。
さらに、「お」（図中破線枠１２で示す）の歌唱音のテンポが演奏曲のテンポに対して所定レベルまでずれた場合は黄色で表示する。
【００３５】
このようにして、歌唱者は歌唱中にカラオケ画面に表示された歌詞を参照することにより、演奏曲に対する歌唱音の音程外れ，音量不足，テンポ外れの箇所を表示色の違いで即座に判断することができる。
したがって、歌い方の悪い箇所を補正しながら歌唱することができるので、短時間で歌唱力を向上させることができる。
【００３６】
（２）譜面中に音程外れが生じた歌唱音に相当する音符を表示させる場合の処理
図４は、このカラオケ装置における演奏曲再生時の譜面中に音程外れが生じた歌唱音に相当する音符を表示させる場合の処理を示すフローチャートである。
【００３７】
この処理は、記憶部３からリクエストされた演奏曲に対応する演奏曲データを選択して、ステップ（図中「Ｓ」で示す）１１で演奏曲再生部が演奏曲データ中の演奏データに基づいて演奏曲信号を再生し、その再生された演奏曲信号に基づく演奏曲をスピーカから出力し、ステップ１２へ進んで表示制御部が上記演奏データに対応する譜面データに基づいて演奏曲の譜面（楽譜）をカラオケ表示部に表示する。
【００３８】
ステップ１３へ進んでマイクから演奏曲に対する歌唱音の歌唱音声信号を入力し、ステップ１４へ進んでＭＩＤＩ変換部がマイクから入力した歌唱音声信号を上記演奏データと同形式のＭＩＤＩデータ（音声データ）に変換し、ステップ１５へ進んで採点機能部がＭＩＤＩ変換部によって変換された音声データと上記演奏データとを比較する。
【００３９】
ステップ１６へ進んで採点機能部が比較結果に基づいて上記歌詞中の上記演奏曲との音程外れが生じたか否かを判断し、生じたときは、ステップ１７へ進んで上記演奏曲との音程外れが生じた歌唱音に相当する音符データを求め、表示制御部がその音符データに基づいて上記譜面中の該当する箇所に音符を表示させる。
【００４０】
ステップ１８へ進んで演奏曲の再生終了か否かを判断して、再生終了ならこの処理を終了する。
また、ステップ１６の判断で音程外れがなかったとき、及びステップ１８の判断で再生終了でなかったときは、最初の処理へ戻り、上述の処理を繰り返す。
【００４１】
図５は、譜面中に音程外れが生じた歌唱音の音符を表示した場合の一例を示す図である。
例えば、歌詞「うみはひろいな  おおきいな」に対する譜面１３中において、演奏曲の主旋律の音符１４（図中では１個にのみ符号を付している）を表示し、歌唱音の音程外れが生じた箇所にはその歌唱音に相当する音符１５を表示する。
【００４２】
このようにして、歌唱者は歌唱中にカラオケ画面に表示された譜面を参照することにより、演奏曲に対する音程外れ，テンポ外れの生じた歌唱音を音符で確認することができ、譜面上で音程外れ，テンポ外れの箇所と共に、さらに詳細に主旋律とどの程度外れているかを即座に判断することができる。
したがって、歌い方の悪い箇所を補正しながら歌唱することができるので、短時間で歌唱力を向上させることができる。
【００４３】
なお、上述の処理において音量不足が生じた箇所の音符を点滅させたり、表示色を異ならせるようにして、譜面上で音量不足の箇所を知らせるようにすることもできる。
【００４４】
また、上記（１）で説明した処理を譜面中でも反映させて、音程外れ，及びテンポ外れの生じた箇所の音符の表示色をそれぞれ識別可能な色に変化させるようにしても良い。
【００４５】
さらに、上述の処理でマイク１から楽器の演奏音を入力し、譜面上に演奏曲に対する楽器の演奏音の音程外れ，及びテンポ外れの音符を表示するようにすれば、楽器による演奏の練習用としても利用することができる。
【００４６】
（３）歌詞中にアドバイスメッセージを表示させる場合の処理
図６は、このカラオケ装置における演奏曲再生時に歌詞中にアドバイスメッセージを表示させる場合の処理を示すフローチャートである。
【００４７】
この処理は、記憶部３からリクエストされた演奏曲に対応する演奏曲データを選択して、ステップ（図中「Ｓ」で示す）２１で演奏曲再生部が演奏曲データ中の１番の楽節の演奏データに基づいて演奏曲信号を再生し、その再生された演奏曲信号に基づく演奏曲をスピーカから出力し、ステップ２２へ進んで表示制御部が上記演奏データに対応する歌詞データに基づいて演奏曲の歌詞をカラオケ表示部に表示する。
【００４８】
ステップ２３へ進んでマイクから演奏曲に対する歌唱音の歌唱音声信号を入力し、ステップ２４へ進んでＭＩＤＩ変換部がマイクから入力した歌唱音声信号を上記演奏データと同形式のＭＩＤＩデータ（音声データ）に変換し、ステップ２５へ進んで採点機能部がＭＩＤＩ変換部によって変換された音声データと上記演奏データとを比較する。
【００４９】
ステップ２６へ進んで採点機能部が比較結果に基づいてアドバイス必要箇所を求め、そのアドバイス必要箇所に対応させるアドバイスデータの選択データを求め、ステップ２７へ進んで曲の１番の楽節の再生が終了したか否かを判断して、終了しなければ最初の処理へ戻って上述の処理を繰り返す。
【００５０】
すなわち、上記ステップ２１〜２６の処理で曲の１番の楽節における歌唱音声の音程外れ，音量不足，テンポ外れのアドバイス必要箇所を求め、その箇所での不良内容に基づいてそれぞれのアドバイス必要箇所に対応させるアドバイスデータテーブル内のアドバイスデータの選択データを求める。
【００５１】
ステップ２７の判断で曲の１番の楽節が終了したら、ステップ２８へ進んで演奏曲再生部が演奏曲データ中の２番の楽節の演奏データに基づいて演奏曲信号を再生し、その再生された演奏曲信号に基づく演奏曲をスピーカから出力する。
【００５２】
ステップ２９へ進んで表示制御部が２番の楽節の歌詞を表示し、上記アドバイス必要箇所の位置データに基づいてアドバイスデータテーブルから上記選択データに対応するアドバイスデータを読み出し、２番の楽節の歌詞中の上記アドバイス必要箇所に相当する箇所に上記選択したアドバイスデータに基づくアドバイスメッセージを表示させる。
【００５３】
ステップ３０へ進んで２番の楽節の再生が終了したか否かを判断して、終了するまでステップ２８と２９の処理を繰り返し、２番の楽節の再生が終了したら、この処理を終了する。
【００５４】
図７は、歌詞中のアドバイスメッセージの表示例を示す図である。
例えば、曲の１番の楽節の歌詞「うみはひろいな  おおきいな」において、「うみ」の歌唱音の音程が演奏曲の主旋律から所定レベル以上低く外れ、「おお」の歌唱音のテンポが演奏曲のテンポから所定レベル以上外れた場合、アドバイステーブル８から音程が低く外れたときに対応させるアドバイスデータと、テンポが乱れたときに対応させるアドバイスデータの選択データを求め、２番の楽節の再生時に歌詞中にアドバイスメッセージを表示する。
【００５５】
例えば、図示のように、上記歌詞「うみはひろいな  おおきいな」に対応する曲の２番の楽節の歌詞「うみにおふねを  うかばせて」の表示のとき、「うみ」の箇所にアンダーライン１６を表示し、音程を高く歌うように指導する吹き出しメッセージ（アドバイスメッセージ）１７を表示し、「うか」の箇所にアンダーライン１６を表示し、テンポに気を付けて歌うように指導する吹き出しメッセージ（アドバイスメッセージ）１８を表示する。
【００５６】
このようにして、曲の１番目の楽節の歌唱時に不具合のあった箇所について、２番目の楽節の歌詞表示の際、歌詞中に１番目では音程やテンポが外れたり、音量が不足した箇所に歌唱時に注意を促したり上手く歌えるように具体的に指導するアドバイスメッセージを表示する。
【００５７】
したがって、１曲の中で１番目の楽節では歌唱時の不具合を求める採点部とし、２番目の楽節では１番目の不具合に注意して上手く歌うための実践部に分けて利用することができ、短時間で歌唱力を向上させることができる。
【００５８】
なお、上述の処理では、１番目の楽節で不具合箇所を求め、２番目の楽節でアドバイスメッセージを表示する場合の処理を説明したが、１曲で３番以上の楽節を有する演奏曲については、２番目以降の楽節の歌詞に同じアドバイスメッセージを繰り返して表示するようにしてもよい。
【００５９】
また、２番目の楽節でアドバイスメッセージを表示しながら、１番目の楽節と同じようにして歌唱音声の不具合箇所とその不具合の内容に応じたアドバイスメッセージを選択し、３番目の楽節の歌詞表示の際に２番目の楽節の歌唱時に選択したアドバイスメッセージを表示するようにすれば、より練習効果を高めることができる。
【図面の簡単な説明】
【００６０】
【図１】この発明の演奏曲再生装置の一実施形態であるカラオケ装置の構成を示すブロック図である。
【図２】図１に示したカラオケ装置における演奏曲再生時に歌詞中の音程外れ，音量不足，テンポ外れが生じた箇所の文字の表示態様を変化させる場合の処理を示すフローチャートである。
【図３】図２に示した処理による歌詞中の音程外れ，音量不足，テンポ外れが生じた箇所の表示例を示す図である。
【図４】図１に示したカラオケ装置における演奏曲再生時の譜面中に音程外れが生じた歌唱音に相当する音符を表示させる場合の処理を示すフローチャートである。
【図５】図４に示した処理による譜面中に音程外れが生じた歌唱音の音符を表示した場合の一例を示す図である。
【図６】図１に示したカラオケ装置における演奏曲再生時に歌詞中にアドバイスメッセージを表示させる場合の処理を示すフローチャートである。
【図７】図６に示した処理で歌詞中のアドバイスメッセージの表示例を示す図である。
【符号の説明】
【００６１】
１：マイク    ２：ＭＩＤＩ変換部    ３：記憶部    ４：演奏曲再生部    ５：スピーカ    ６：採点機能部    ７：表示制御部    ８：アドバイステーブル    ９：カラオケ表示部